(57)【要約】  本発明は、  少なくとも１つのワークトレイ（５００）と、並びに  医療廃棄物貯蔵アクセサリをひっかけるための、高架式フッキングシステムと、固定手段と、を含む、主に病院外環境において医療従事者又は医療従事補助者により使用されることが意図される医療器具構造であって、  前記構造が、上面と、下面と、複数の側面と、を有するプラットフォーム（１０）を含み、  前記プラットフォーム（１０）は、その下面において折り畳み脚に、及びピボット手段により、少なくとも１つのワークトレイ（５００）に、接続されること、及び  前記プラットフォーム（１０）が、それを貫通するポール（３００）を有すること、及び  前記プラットフォーム（１０）が、把持手段（６００）を含むこと、を特徴とする医療器具構造に関わる。その全ては、平らな地面と凸凹の地面のいずれにおいても、輸送されるこれら様々なエレメントの収集を可能にし、迅速に、安定に、設置可能にする。
2017508569.tif 000002
【特許請求の範囲】
【請求項１】
主に病院外環境において医療従事者又は医療従事補助者により使用されることが意図される医療器具構造であって、
少なくとも１つのワークトレイ（４０２、５００）と、並びに
医療廃棄物貯蔵のためのアクセサリをフッキング可能にする、高架式フッキングシステムと、固定手段と（１１１、２０４、５０８）、
を含み、
前記構造は、上面と、下面と、複数の側面とを有するプラットフォーム（１０）を含み、
前記プラットフォーム（１０）は、その下面において、折り畳み脚（１０２、１０３、１０４）に、及びピボット手段（１２、１３）により、少なくとも１つのワークトレイ（４０２、５００）に、接続されること、及び
前記プラットフォーム（１０）は、それを貫通するポールを有すること、
前記プラットフォーム（１０）が、把持手段（６００）を含むこと、
を特徴とし、
その全ては、平らな地面と起伏の多い地面のいずれにおいても、これら様々なエレメントのアセンブリを、迅速、安定可能にし、且つ、標準的な輸送及び実施を可能にする、構造。
【請求項２】
リムが設けられたワークトレイ（４０２）は、引き出し（４０５）を収納するボックスの（４００）の上壁を構成すること、
前記ボックスは、上壁と、下壁と、複数の側壁と、からなり、且つ、ピボット手段（１２）により側壁において前記プラットフォーム（１０）に固定され、それにより、病院外医療用ワークステーションが使用形態にあるとき、それは、第１の位置（前記第１の位置において、それは機能的であり、且つ、その上壁は水平である）、及びこの同一面は垂直である、第２の位置、所謂貯蔵（もしくは輸送）位置を取り得ること、を特徴とする請求項1に記載の構造。
【請求項３】
前記引き出し（４０５）を収容する前記ボックス（４００）が、少なくとも１つのスライドを含み、その中にスライド可能な第２のトレイ（４０３、４０４、４０７）が配置されることを特徴とする、請求項２に記載の構造。
【請求項４】
折り畳み脚（１０２、１０３、１０４）及び前記少なくとも１つのワークトレイ（４０２、５００）を同時に展開するための自動展開手段を含むことを特徴とする、請求項１から３のいずれか一項に記載の構造。
【請求項５】
前記自動展開手段が、：
−ラック・アンド・ピニオンシステムであって、前記ピボット手段が、前記ポール(３００)上に配置されたラック（Ｃ）と、前記少なくとも１つのワークトレイ（４０２、５００）に固定され、且つ、前記プラットフォーム（１０）内部でポール（３００）をスライドさせることにより、前記ワークトレイ（４０２、５００）を展開したり、又は折り畳むように前記ラック（Ｃ）と協働する、少なくとも１つのピニオン（Ｐ）と、からなる、ラック・アンド・ピニオンシステムと、及び
前記プラットフォーム（１０）内部で前記ポール（３００）をスライドさせることにより、前記折り畳み脚（１０２、１０３、１０４）を展開し、又は折り畳むように、前記折り畳み脚（１０２、１０３、１０４）を前記ポール（３００）に接続するスペーサ（Ｅ）のシステムと、；
−前記ポール（３００）及び前記少なくとも１つのワークトレイ（４０２、５００）を接続するケーブルを含むケーブルプーリーシステムであって、前記ケーブルは、前記プラットフォーム（１０）内部で前記ポール（３００）をスライドさせることにより、前記ワークトレイ（４０２、５００）を展開し、又は折り畳むように、プーリーと協働する、ケーブルプーリーシステムと、及び
前記プラットフォーム（１０）内部で前記ポール（３００）をスライドさせることにより、前記折り畳み脚（１０２、１０３、１０４）を展開し、又は折り畳むように、前記折り畳み脚（１０２、１０３、１０４）を前記ポール（３００）に接続するスペーサ（Ｅ）のシステムと、；
−前記プラットフォーム（１０）内部で前記ポール（３００）をスライドさせることにより、前記少なくとも１つのワークトレイ（４０２、５００）及び前記折り畳み脚（１０２、１０３、１０４）を展開し、又は折り畳むように、前記少なくとも１つのワークトレイ（４０２、５００）を接続し、且つ、前記折り畳み脚（１０２、１０３、１０４）を接続する、スペーサ（Ｅ、Ｅ’）のシステムと、；
−加圧流体の蓄えに接続することにより、前記少なくとも１つのワークトレイ（４０２、５００）並びに前記折り畳み脚（１０２、１０３、１０４）を展開可能にする、シリンダのシステムと、；
を含むリストから選択されることを特徴とする、請求項４に記載の構造。
【請求項６】
リムが設けられた前記ワークトレイ（５００）は、その中に第２のトレイ（５０４、５０５）が配置され、スライド可能な、少なくとも１つのスライドと、並びに少なくとも１つのフッキング手段（５０２）と、を横方向に含み、それにより、病院外医療用ワークステーションが使用形態にあるとき、それは、その上側面は水平である第１の位置、それが機能的である位置、及びこの同一面は垂直である第２の位置、所謂貯蔵（もしくは輸送）位置、を取り得ること、を特徴とする、請求項１から５のいずれか一項に記載の構造。
【請求項７】
前記折り畳み及び伸縮脚（１０２、１０３、１０４）は、センターポール（３００）を備えた三脚（１００）の形態であり、
前記センターポールもまた伸縮自在で、その下部（３１１）上のフッキング手段と、並びに、その上部上の少なくとも１つの照明手段（３４４、３４５）と、フッキング手段（３４２、３４３）とを提供し、さらに、その上端部（３４７）により、悪天候に対する保護のためのデバイスを導入する可能性を残す、請求項１から６のいずれか一項に記載の構造。
【請求項８】
ポール（３０１）の下部は、中央クロスピース（２０２、２０３、２０４）を介して３つの脚（１０２、１０３、１０４）に接続され、
前記クロスピースは、前記脚に固定された水平軸の周りを、並びにリング（２０１）固定された別の水平軸の周りを、回転し、
それ自体がセンターポール（３０１）の下部の上をスライドし、且つ、固定され得、及び
前記クロスピースは、複数のフッキングシステム（２０６）を横方向に提供することを特徴とする、請求項７に記載の構造。
【請求項９】
横方向にスライドするのに適した前記トレイ（４０３及び４０４）は、ボックスの底壁内に収容されていること、及び
前後にスライド可能な前記トレイは、ボックスの上壁と引き出しとの間に収容されていることを特徴とする、請求項３に記載の構造。
【請求項１０】
前記引き出し（４０５）の前面が収納位置の下方に配向されること、及び
粘着テープの通過を、及び／又は医療デバイスの一時的格納を、可能にする少なくとも１つの開口部を含むことを特徴とする、請求項２、３又は９のいずれか一項に記載の構造。
【請求項１１】
高架式照明システムを含むことを特徴とする、請求項１から１０のいずれか一項に記載の構造。
【請求項１２】
前記把持手段は、プラットフォーム（１０）の側面に接続されたハンドル（６００）であることを特徴とする、請求項１から１１のいずれか一項に記載の構造。
【請求項１３】
前記折り畳み脚（１０２）の１つに、針容器を受け入れ可能なフッキングシステム（１１１）が固定されていることを特徴とする、請求項１から１２のいずれか一項に記載の構造。
【請求項１４】
前記ワークトレイが蓋を含むことを特徴とする、請求項１から１３のいずれか一項に記載の構造。
【発明の詳細な説明】
【技術分野】
【０００１】
本発明は、主として病院外(extra  hospitalier)での使用を意図される、機器及び医療機器の技術分野に関する。
【背景技術】
【０００２】
病院外環境での医療の仕事の問題を理解するため、まず、医療チームは病院の消毒され、且つ快適な、閉鎖空間内を動くのではないことを認識する必要がある。患者はそれ(elle)の方に来るのではなく、それ(elle)が患者及び患者の進行部分(son  cadre  d’evolution)に行く。後者は、それ(elle)が快適、安全、衛生、人間工学の良好な状態で動作するために、ほとんど適している。
【０００３】
現在、これ(elle)は、適切に注入又は他の医療機器の確立だけでなく、医薬品の製造のために必要な材料を準備する作業計画やケアの面積を有しない。
【０００４】
医療チームは、その時、この材料で何とかベストを尽くす(se  debrouille)のであって、すなわち、不安定なバランスについて、及び、上述したサポート(supports)のおおよその衛生状態について、危険性を有する、バッグもしくはスーツケースの上、又は床の上に薬物、シリンジ及びその他の医療機器を置くのである。
【発明の概要】
【発明が解決しようとする課題】
【０００５】
それ(elle)はその後、次のような問題に直面している。：
−スペースの管理。ケア領域が、常に適切に患者の周りに限界を定めておらず、機器は、時として材料が散乱される(材料の失念、交換又は損失のリスク)ためである。逆に、医療チームは、調整する機会がほとんどないまま、時々窮屈な環境で動き回る(evolue)。
【０００６】
−リスク管理。被害者の周りを移動するスタッフが、前記被害者(cette  derniere)に注意を集中するが、時々、（フル又は空の）薬剤アンプル、注射針と注射器、特定の分析に必要な患者の血液を含むカテーテルなどの、床の上に直接置かれているもの対してではないためである。
【０００７】
−天候（埃を飛ばす風、雨、雪・・・）、介入サイト（建設現場、建物及び公共事業(BTP)、不衛生な場所、公道…）、患者の周りの救援要員の行き来、に応じて、衛生管理が多かれ少なかれランダムである。
【０００８】
−環境がケアするのに「敵対的」であるときの（従って、医療スタッフがシートを展開しなければならない、又は椅子もしくはテーブル、もしくは機器を正しく作動させるに役立ついずれの手段、を探さなければならない）、タイムキープ(chronometre)管理。この設置  (mise  en  place)で失われた時間は、患者の不利益になる。
【０００９】
−スタッフの管理。患者の近傍において位置するエレメントに溶液(solute)を掛けることができないとき、救援スタッフを「注入スタンド」に変えることは珍しくないからである。これは、１スタッフ失うことになってしまい、ケアの組織、医療チームに損害を与える恐れがある。
【００１０】
−照明の管理。時々、介入が光源から離れて位置しており、且つ、薄暗い光や暗闇の中で作動するのは複雑であるためである。
【００１１】
−廃棄物の管理。前記管理(elle)は、殆ど常に、ＤＡＳＲＩ(感染性医療廃棄物)バッグしか有していないためである。その場合、家庭用ゴミで処分することができるものまで、どちらも最終的ＤＡＳＲＩ廃棄物となってしまい、従って、棄物処理コストの原因となる。
【００１２】
−特許出願ＵＳ２００６０７６８６１の主題であったデバイスは、従来技術で周知である。この後者（米国出願）は、最初は前述の問題点を満たす可能性のある多数の特徴を含むキッチンパック（図1）について説明する。この装置は、主な欠点について、これらの相互に異なる特徴の貧弱な構成、保管や輸送の位置で、使用の位置で、重量及びあまりに大きすぎるサイズ、非常に起伏の多い地形で水平作業面を維持することができないこと、及び最終的には、野外病院の分野で使用するための、すなわち、極端な救急状態において、使用するには長すぎる設置時間(une  mise  en  place)を有する。
【課題を解決するための手段】
【００１３】
以下に説明され、図２（前記貯蔵又は輸送の閉位置）及び図３（前記使用のための展開位置）に示される本発明は、上記の問題に対する具体的な解決策を提供する。
【００１４】
この病院外医療用ワークステーションは、：
第１の特徴によれば、
−ピボット手段により、少なくとも１つのトレイ(plateau)、
−ピボット手段により、必要に応じて、引き出しを収容するボックス、
−センターポール(中央マスト、mat  central)、
−その下側の折り畳み脚、
−輸送を容易にするための把持手段、
に接続された、接続上面、下面及び側面から構成されるプラットフォームを含む。
【００１５】
第２の特徴によれば、リムを備えたトレイは、横方向に摺動することができる別のトレイに配置された少なくとも一つのスライド、及び少なくとも１つの取付け手段(moyen  d’accrochage)を含む。病院外医療用ワークステーションは、使用形態にあるとき、それは、その上面が水平である第１の位置、それが動作する位置、及び第２の位置、この同じ面が垂直である、所謂格納(又は輸送の)位置、を取ることができる。
【００１６】
第３の特徴によれば、引き出し(tiroir)を含むボックスは、上部壁、底壁及び複数の側壁から構成される。ボックスの上壁は、ワークトレイ(plateau  de  travail)を構成するリム部が設けられている。ボックスは、病院外医療用ワークステーションが、使用形態にあるとき、それが機能的であり、且つ、その上壁は水平方向である、第１の位置を、及び、同じ面が垂直である、ストレージ（又は輸送の）と呼ばれる第２の位置を、取ることができるように、ピボットによって側壁にプラットフォームに固定されている。
【００１７】
第４の特徴によれば、引き出しを含むボックスは、ハウジングを摺動可能な第２のトレイが配置された少なくとも１つのスライド(coulisse)を含む。
【００１８】
第５の特徴によれば、引き出しの前面には、接着テープを渡すため、及び／又は一時的に医療器具を保存するための少なくとも１つの開口部を含む。
【００１９】
第６の特徴によれば、折り畳み及び伸縮脚はまた、１本のセンターポールをもつ三脚の形態で、それらは伸縮性でもあり、その下部においてフッキング手段、並びに、その上部において少なくとも１つの照明手段及びフッキング手段を提供する。これは、天候に対する保護のために、その上端部によってデバイスを導入する可能性をさらに提供する。
【００２０】
第７の特徴によれば、ポールの下の部分は、中央クロスピース(ブレース、croisillons)を介して３つの脚に接続される。これらのクロスピースは、前記脚に固定された水平軸の周りを、並びにリング固定された別の水平軸の周りを、回転し、
それ自体がセンターポールの下部の上をスライドすると共に、固定可能である。これらのクロスピースは、複数のフッキングシステムを横方向に提供する。
【００２１】
第８の特徴によれば、脚の１つに、針容器を受け入れ可能なフッキングシステムが固定されている。
【００２２】
第９の特徴によれば、把持手段は、プラットフォームの側面に接続されたハンドルである。
【００２３】
第１０の特徴によれば、構造体は、ポール、折り畳み脚、及び前記少なくとも１つのワークトレイと同時に（conjointement）展開するための自動展開手段を含む。
【００２４】
第１１の特徴によれば、自動展開手段は、：
前記自動展開手段が、：
−ラック・アンド・ピニオンシステムであって、前記ピボット手段が、前記ポール(３００)上に配置されたラック（Ｃ）と、前記少なくとも１つのワークトレイ（４０２、５００）に固定され、且つ、前記プラットフォーム（１０）内部でポール（３００）をスライドさせることにより、前記ワークトレイ（４０２、５００）を展開したり、又は折り畳むように前記ラック（Ｃ）と協働する、少なくとも１つのピニオン（Ｐ）と、からなる、ラック・アンド・ピニオンシステムと、及び
前記プラットフォーム（１０）内部で前記ポール（３００）をスライドさせることにより、前記折り畳み脚（１０２、１０３、１０４）を展開し、又は折り畳むように、前記折り畳み脚（１０２、１０３、１０４）を前記ポール（３００）に接続するスペーサ（Ｅ）のシステムと、；
−前記ポール（３００）及び前記少なくとも１つのワークトレイ（４０２、５００）を接続するケーブルを含むケーブルプーリーシステムであって、前記ケーブルは、前記プラットフォーム（１０）内部で前記ポール（３００）をスライドさせることにより、前記ワークトレイ（４０２、５００）を展開し、又は折り畳むように、プーリーと協働する、ケーブルプーリーシステムと、及び
前記プラットフォーム（１０）内部で前記ポール（３００）をスライドさせることにより、前記折り畳み脚（１０２、１０３、１０４）を展開し、又は折り畳むように、前記折り畳み脚（１０２、１０３、１０４）を前記ポール（３００）に接続するスペーサ（Ｅ）のシステムと、；
−前記プラットフォーム（１０）内部で前記ポール（３００）をスライドさせることにより、前記少なくとも１つのワークトレイ（４０２、５００）及び前記折り畳み脚（１０２、１０３、１０４）を展開し、又は折り畳むように、前記少なくとも１つのワークトレイ（４０２、５００）を接続し、且つ、前記折り畳み脚（１０２、１０３、１０４）を接続する、スペーサ（Ｅ、Ｅ’）のシステムと、；
−加圧流体の蓄えに接続することにより、前記少なくとも１つのワークトレイ（４０２、５００）並びに前記折り畳み脚（１０２、１０３、１０４）を展開可能にする、シリンダのシステムと、；
を含むリストから選択される。
【００２５】
第１２の特徴によれば、構造体は、高架式(sureleve)照明システムを含む。
【００２６】
これらの特徴及び他のものは、以下の説明から明らかになるであろう。
非限定的に本発明の目的を示されため、以下の図を参照すべきである。：  
【図面の簡単な説明】
【００２７】
【図１】従来技術によるモジュール構造を示す図である。
【図２】第１の実施形態に係る構造のその貯蔵の、又は輸送の構成における、断面図２ａ、次にわずかに傾斜した３／４側面図２ｂ、及び最後に上面図２ｃを連続的に示す。
【図３】第１の実施形態に係る構造のその貯蔵の、又は輸送の構成における、断面図３ａ、次にわずかに傾斜した３／４側面図３ｂ、及び最後に上面図３ｃを連続的に示す。
【図４】第１の実施形態に係る、その使用の構成における構造のわずかに傾斜した３／４側面図を示す。
【図５】第２の実施形態に係る、その使用の構成における構造体の横断面の図を示す。
【図６】第２の実施形態に係る、その貯蔵の、又は輸送の構成における、構造体の横断面の図を示す。
【図７】第３の実施形態に係る、その使用の構成における構造の正面図を示す。
【図８】第３の実施の形態のストレージ構成又は送信構造の正面図を示します。
【発明を実施するための形態】
【００２８】
本発明の対象をより具体的にするために、現在、図面に非限定的に記載されている。
【００２９】
本発明による支持構造は、図２、図３及び図４により連続的に参照される。当該支持構造は、それらの近位端での水平回転軸１０５によってそれぞれ連結された(articules)３本の脚１０２、１０３、１０４から構成される三脚１００において、その下側に接続されたプラットフォーム又は台座(socle)１０を含む。各脚部は、それに伸縮される能力を与えるいくつかの、例えば３本のチューブで構成されている。最も高い円周を持つチューブ並びに直接下側の(directement  inferieure)円周を持つチューブは、それぞれ、直接下側の円周であるチューブのロッキングレバーシステム(systeme  de  levier  deblocage)１０６及び１０７の、その遠位端に設けられる。あるいは別形によると、最も高い円周を持つチューブ並びに直接下側の円周を持つチューブは、それぞれ、ロッキングレバーシステム１０６及び１０７の代わりに、クランプリングの遠位端に設けられる。これらクランプリングは、チューブ間の動きを阻止することを可能にする。最低の(la  plus  faible)円周を持つ最後のチューブは、ねじ１０８が設けられた遠位端部を有し、その上には、半球を介して（硬質地盤）、又はねじの先端を介して（軟弱地盤）、構造を地面と接触して配置するための半球ゴム１０９が関節結合されている。引き出しの下に位置する脚１０２は、針１１１のためのセキュアコンテナの固定システムを提供する。引き出しの下に位置する足１０２は、針１１１のためのセキュアコンテナ固定システムを提供する。
【００３０】
クロスピース(croisillon)２００は、これら３本の脚１０２、１０３、１０４間の関節結合(articulation)を可能にする。クロスピースは、センターポール３０１の下の部分の周りをスライドする中央リング２０１と、水平回転軸１１０の周りを最も高い円周(circonference  la  plus  elevee)の脚のロッキングレバーシステム１０６に、その遠位端で、及びそれらの近位部分において、同様に水平回転軸２０１の周りをリング２０１に接続した３本のアームと、から構成される。従って、脚の１本を開くとき、我々の側で処置することなく、他の２本の脚も同様に開いている。中央リング２０１は、クランプねじ２０８が設けられていて、クランプねじ２０８は、三脚の不要な開口を避けて保管又は輸送中に中央のポールに固定されるだけでなく、構造が一度展開されると、それにより、剛性と安定性をそれに付与することを可能にする。
【００３１】
３本のアームは、横方向両端部でクロスピース３本の各内側に袋を添付する機能付き「ワニ」型クランプ２０４を装備している。これらの袋は、さらに３本の脚の１本の開脚動作の後にそれら自体を開く。
【００３２】
センターポール３００は、垂直方向と上方に延びる、複数の、例えば３本のチューブで構成されている。下側部分３０１に、及び他の２個より大きい(superieure)円周に位置するチューブは、その基端部において、プラットフォーム、又は台座、に固定されている。その遠位部は、落下から可動リングを防止する、及び下向きのフック３１１の形のアンカー構造体に取り付けるための手段を提供する、固定リング３１０が装備されている。
【００３３】
中間チューブは、プラットフォーム１０の上面に固定されたクランプノブ１１により高さが調節可能なその高さを見込んでいる。
【００３４】
最小の円周を有する最後のチューブ３０３は、その近位端に、距状突起(ergot)３３０を有しており、この目的のために設けられた開口部に入ると、それは使用の２つのポジション、一方は折り畳み（reployee）及び他方は展開、を持つことができるように中間チューブ３０２の他の先端部に１つずつ位置している。その遠位端が照明モジュール及びフッキングモジュール３４０を受け入れる。このモジュールは、溶液ポケットのため、カラビナタイプ(type  mousqueton)３４２、３４２を固定されたフッキングシステムを横方向に提供し、また、引き出し４００から及びトレイ４００から、個別化し、且つ、方向調節可能な照明システム３４４、３４５を提供する。ランプは、横軸３４６に対して鋸歯状の関節結合(articulation)により、モジュールの台座に対して、その底部で固定されている。最後に、このチューブの遠位端は、天候に対する保護のシステムに基づいてステムコンポーネントの導入を受け入れることを可能にする。
【００３５】
チューブは、垂直リブと、垂直軸周りの回転を禁止するガイドとが設けられている。
【００３６】
あるいは別形によると、構造は、高架式フッキングシステムを含みながら、高架式照明システム全部を含めることはできない。
【００３７】
引き出しモジュール４００は、ボックスの下側後部に位置する水平回転軸１２周りに関節結合されている(articule)。ストレージ構成では、引き出しの全面は、地面に向かって配向され、且つ、ボックスは自動的に台座１０内のクリップキャビネットの背面に固定された板ばね４１２の作用により、この位置に維持される。使用形態にボックスを置くためには、前記板バネ(la)を解放するために、板バネ上で手動圧力を加えなければならない。その後、引き出しのボックスは、水平軸に従って下から上へ９０°の回転運動を与える必要がある。ボックスは、その上壁の上に、その上に置かれるエレメントの脱落を制限する、リムに囲まれたワークトレイ４０２を示す。ボックスの下壁は、横方向にリムが設けられた２つの付属トレイを収容する。止め具(butes)を装備したこれらのトレイは、横方向、一方は、特に小さな医用分析機器を処分する能力を持つボックスの右側に４０３、他方は左側に４０４に、スライドする。これら２つのトレイは、スライドプレートの側面リムの内側に位置する磁石の作用で閉鎖位置に維持される。
【００３８】
ボックスの前面は、引き出し４０５、並びに、ボックスの上壁の下であるが、引き出しの上方に位置する摺動可能な第３のトレイ４０７を収容する。引き出しのロッキングシステムはまた、この後者のトレイのロックを条件付けする。引き出しは、ボックスの側壁の内側に水平に止め具で固定した二本のレール上をスライドする。引き出しの前面は、引き出しを閉鎖位置に維持するプッシュボタン４０６、並びに押されたときに最上部に上がる  (le  surmonte)トレイが装備されている。その後、引き出し上の把持手段を提供するために、開口部を許可するため、そ上に圧力をかけるだけで十分であり、後者はその後、引き出しに把持手段を提供するために、そのボックスの外に移動する。引き出しの前面はまた、２つの垂直スロットを含み、一方は、絆創膏の通過を可能にし、他方は、注射可能薬剤のための識別リボンの通過を可能にする。最後に、引き出しは(il)、分析を待ちながら、カテーテルとそのケースとを格納するための開口部を備えている。
【００３９】
トレイ５００は、水平回転軸１３周りに関節結合される。それは、ポールを取り囲むようになる「板バネ」からなる半分の締結(セルクラージュ、cerclage)手段５０２によって、格納位置（垂直配向された主壁５０１）内に保持される。この半分の締結(demi-cerclage)は、トレイの下壁に固定されたシリンダ５０３によって拡張される。このシリンダはまた、フック５０８が装備されている。使用位置にトレイを置くためには、それは、９０°回動させることにより、半分締結の圧力からの解放すること、前方と上方に後部圧力を発揮する必要がある。その主な壁は、その後、水平に配向され、それ自体にクリップされた板バネ５０７によってこの位置に保持される。ストレージ構成にトレイを再配置するには、板バネ上への圧力は、ロック機構を解放し、自由回転を可能にする。止め具を備えたこれらトレイは、横方向、一方はメイントレイから右側に５０４、他方は左側に５０５、スライドさせて、このようにその表面を増加させる可能性を与える。これら２つのプレートは、スライドプレートの側面リムの内側に位置する磁石の作用で閉鎖位置に維持される。
【００４０】
キャリッジを容易にするための把持手段を構成するハンドル６００は、プラットフォーム１０の側面に固定されている。
【００４１】
最後に、付属のランプは、患者を照明するための構造と調和する。
【００４２】
要約すると、ストレージ構成が非常にコンパクトな、この病院外医療用ワークステーションは、国が認可したナース（ＩＤＥ）及び／又は医師に、一度に展開された、２つのワークトレイ：
−とりわけ、輸液の敷設に必要な材料を格納のための引き出しとしての第１のトレイ。これは、医薬品の製造を容易にし、分析や治療機器を置くのに役立つ。；
−例えば、挿管機器及び医師の吸引を置くように適合した、拡張可能なトレイの形の第２のトレイ。；
を利用可能にする。
【００４３】
そのうえさらに、この三脚は、：
−ワークトレイの下の三脚の脚に固定された、２つのゴミ袋（例えば、１つ黄色で１つは黒）と針ボックス。廃棄物の分別や安全な針の廃棄を可能にする。；
−天候に対する保護のためのデバイスを受け入れることができる中央の伸縮ポールと、その上部における、個別照明モジュール、及び溶質のポケットを確保するために必要なもの（カラビナタイプ締結）。；
という医療や医療補助チームの利益のために事実上の即時可用性を可能にする。
【００４４】
このツールは、：
−明確に識別されており、三脚を中心に編成される管理空間。；
−危険なものを地面上に何も残さずに、ワークトレイ上に保存されているすべての材料を見ていられる、リスク管理。；
−材料はクリーンなトレイ上に配置され、且つ、天候に対する保護の必要な手段は、患者ケア区域と2調理台を保護するために、必要ならば追加することができるので、衛生管理。；
−使用形態における三脚の設置、タイマ管理は、極端な条件で１０秒を超えてはならない、タイマー管理。；
−人員が支持する役割から「輸液注入スタンド機能をさせること」を解除し、及び人員を救急チームに再統合することによる、人員管理。；
−薬の識別調製にために照明されるワークトレイに対する、照明管理、及び配向可能な付属ランプの管理。；
−三脚の開口部、２種類のゴミ袋、及び針の回収装置の存在に対する、廃棄物管理。；
という観点から、一度、医療チームが利用できるようしたら、病院外での作用性を大幅に改善する。
【００４５】
結論として、このコンパクトで軽量なワークステーションは、病院の要件により近づくこともでき、病院外ケアのためのプロセスにおける改善に含まれる包括的な対応をもたらすことを可能にする。
【００４６】
このような図５〜８に示されるような他の可能な実施形態によれば、構造体は、同時に折り畳み脚１０２、１０３、１０４、４０２と、並びに、ワーク手織り４０２及び５００とを、自動展開するための手段、を含んでよく、ユーザアクションの数の減少によって、その輸送又は貯蔵位置からその使用位置に構造を切り換えるのに必要な時間を短縮するようになっている。この時間の節約は、緊急時の病院外介入において（例えば、心不全の、又は非常に重い出血の場合）、特に重要であり、稼いだ毎秒が決定的な影響を与える可能性がある。以下で説明可能な変形例によれば、構造体は、ポール３００、折り畳み式の脚１０２、１０３、１０４、並びにワークトレイ４０２及び５００を同時に自動展開が可能な展開手段を含む。
【００４７】
図５及び図６に示すように、第２の実施形態によれば、自動展開手段は、一方の、ワークトレイ４０２及び５００を展開させるラックアンドピニオンシステムと、他方の、折り畳み式の脚１０２、１０３、１０４を展開するための支柱システムＥと、から構成され、及びポール３００は、プラットフォーム１０の内側に摺動可能である。
【００４８】
ラック・アンド・ピニオンシステムは、ワークトレイ４０２及び５００の各々を関節結合するため、ポール３００上に、より正確には下部３０１に位置するチューブ上に、配置されたラックＣと、２つのピニオンＰと、から構成される。第１のピニオンＰは、プラットフォーム１０内に配置され、ラックと噛合される。第２のピニオンは、ワークトレイ４０２及び５００に固定され、前記第１のピニオンと噛合される。このラック・アンド・ピニオンシステムは、プラットフォーム１０に対して、ワークトレイ４０２、５００を回転させる手段を形成する。
【００４９】
したがって、ユーザがポール３００を展開し、且つ、上向きに引っ張るとき、ポール３００はプラットフォーム１０内側を摺動可能であり、ラックＣは、回転ピニオンＰを駆動し（より正確には、特にラックＣは、第１のピニオンを駆動し、これは、今度は第２のピニオンを駆動する）、前記Ｐ歯車が、それによってプラットフォーム１０に対してワーキングプレート４０２及び５００の展開を引き起こす。逆に、ユーザが構造を保存したい場合、ユーザは、それを押し下げることにより、ポール３００を折り畳み、ラックＣは回転中のピニオンＰを駆動し、ワークトレー４０２及び５００は折り畳まれる。
【００５０】
折りたたみ脚１０２、１０３、１０４の自動展開は、スペーサＥシステムによって順番に確保される。各折り畳み脚１０２、１０３及び１０４は、折り畳み１０２、１０３又は１０４に対し、及びスペーサＥに対し、軸直交ピボット連結に従って、１つのスペーサＥに接続される。ポール３００に、及びより正確にはチューブの遠位端に、固定された各スペーサＥは、ポール３００とこのように固定されたスペーサとの両方に直交する軸のピボット連結によれば、下側部分３０１に位置する。各スペーサＥのピボット連結の軸は、スペーサＥが接続され、スペーサＥが連結された折り畳み脚１０２、１０３又は１０４と、プラットフォーム１０と、の間の接続の回転軸にに平行である。
【００５１】
従って、ユーザがポール３００を広げ、それを上に引っ張ると、スペーサＥのこのシステムは、スペーサEを展開することにより、プラットフォーム１０内部をポール３００をスライドさせることにより、折り畳み脚１０２、１０３及び１０４を展開可能にする。
【００５２】
逆に、ユーザがそれを押し下げることにより、ポール３００を折り曲げ、構造を保存したいときは、スペーサＥは、ポール３００の上に下がり(se  rabattent  sur)、従って、折り畳み脚１０２、１０３及び１０４を折り畳む。
【００５３】
この実施形態は、従って、ポール３００を引っ張るか押し込むユーザの単一の動きで、ワークトレイ４０２、５００及び折り畳み脚１０２、１０３、１０４を同時に展開するか折り畳むことが可能となる。
【００５４】
図７及び図８に示すように、第三の実施形態によれば、自動展開手段は、一方の、ワークトレイ４０２及び５００を展開するためのスペーサＥ’システムと、他方の、第２の実施形態のスペーサＥのシステムと同様に、折りたたみ式の脚１０２，１０３，１０４を展開するためのスペーサーＥのシステムと、を含み、ポール３００は、プラットフォーム１０の内側にスライド可能である。
【００５５】
ワークトレイ４０２及び５００を展開するためのスペーサシステムＥ’は、第２の実施形態の折りたたみ式のスペーサシステムＥと同等の機能を有する。
【００５６】
ワークトレイ４０２及び５００を展開するためのスペーサシステムＥ’は、従って２つのスペーサＥ’を含み、各々は、ワークトレイ４０２及び５００と、ポール３００とに、及びより具体的には、底部３０１に位置するチューブの遠位端に、固定される。スペーサE’は、それぞれ、スペーサE’が結合したワークトレイ４０２又は５００と、プラットフォーム１０との間の結合の回転軸に平行に軸とのピボット連結に従って、ワークトレイ４０２又は５００に、及びポール３００に固定される。
【００５７】
従って、ユーザがポール３００を広げ、それを上に引っ張ると、スペーサＥ’のこのシステムは、スペーサＥ’を展開しながら、プラットフォーム１０にポール３００をスライドさせることにより、ワークトレイ４０２及び５００を展開することを可能にする。
【００５８】
逆に、ユーザがそれを押し下げることにより、ポール３００を折り曲げ、構造を保存したいときは、スペーサＥ’は、ポール３００の上に下がり(se  rabattent  sur)、従って、ワークトレイ４０２及び５００を折り畳む。
【００５９】
第４の実施形態によれば、自動展開手段は、一方の、ワークトレイ４０２及び５００を展開させるケーブル−プーリーシステムと、他方の、第２の実施形態のスペーサシステムEと同様に、折り畳み式の脚１０２、１０３、１０４を展開するためのスペーサシステムＥと、から構成され、ポール３００は、プラットフォーム１０の内側に摺動可能である。
【００６０】
ケーブル−プーリーシステムは、それぞれトレイ４０２又は５００をポール３００に接続するケーブルと、それぞれプラットフォーム１０内でワークトレイ４０２又は５００の右方向に固定されたプーリーとから構成されており、各ケーブルは１つのプーリーを通過する。ケーブルは、中間チューブ３０２に接続され、それにより、ポール３００が展開されたとき、ケーブルが引っ張られ、且つ、それらを展開するようにトレイ４０２と５００を引っ張る。
【００６１】
プーリーは、ケーブルが引き伸ばされるとき、それらは、ユーザの作業を邪魔しないように、ケーブルをすっきりさせる。
【００６２】
ユーザが、それを押し下げることにより、マット３００を折り畳み、構造を保存したい場合、ケーブルは緩み、ワークトレイ４０２及び５００は、重力の影響下で折り畳まれる。
【００６３】
第５の実施形態によれば、自動展開の手段は、ワーキングプレート４０２及び５００のそれぞれをプラットフォーム１０又はマット３００のいずれかに接続するジャッキシステム(system  de  verins)と、及び折り畳み脚１０２、１０３、１０４のそれぞれをポール３００に接続するジャッキシステムと、から構成されている。
【００６４】
これらのジャッキ（シリンダ、verins）は、それらが「出力(sortie)」位置にあるとき、ワークトレイ４０２、５００及び折り畳み脚１０２、１０３、１０４が展開されるように、前記ジャッキが「戻り（rentre）」位置にあるとき、ワークトレイ４０２、５００及び折り畳み脚１０２、１０３、１０４が折り畳まれているように配置される。
【００６５】
ジャッキは、電気ジャッキであってよく、それにより、それらは、スイッチによって制御することができ、構造体は、その後、電気エネルギーをジャッキに供給するためのバッテリーを含む。
【００６６】
ジャッキ(シリンダ、verins)はまた、加圧ガスの供給源に接続されたときに拡張したガスボンベであってもよい。例えば、全てのシリンダは、ガス入口回路を行うノズルにガスボンベを接続することにより、加圧ガスを供給することができる同一のガス回路に接続することができる。ユーザは、したがって、ジャッキが「出力（rentre）」の位置に移動するように、もはや、ノズルに圧力下でガスを含むデミジョン瓶(bombonne)に接続していない。この実施形態の変形例によると、構造体が収納位置にあるとき、加圧ガスの瓶(bombonne)は、ジャッキに接続され、それにより、ジャッキ内のガスは、加圧されたシリンダが位置に保持されているようなジャッキのストロークに配置されたピン(goupilles)のような手段を、ロックすることにより、「返される（rentre）」。構造体を使用する場合、ユーザは、例えばジャッキのストロークのうちのピンを形成するばね機構に接続されたプッシュボタンを作動させることにより、例えば、ロック手段のシリンダを解放する。ジャッキは、このように、ロック機構を開放し、且つ、加圧ガスで満たされ、これらは展開し、「出力」位置に渡し、これにより、折りたたみ式の脚１０２、１０３、１０４及びワークトレイ４０２を展開する。本実施形態のさらに別の変形によれば、油圧バルブが加圧ガスの供給とジャッキとの間に介在され、且つ、油圧バルブが自動的に延長管路にバイアスをかけるので、本発明によるシステムの完全な構造の展開を確保するために、展開開始時に開いた位置に切り替えられる。
【００６７】
本実施形態の可能な変形によれば、マット３００はまた、ジャッキにより展開され得る。シリンダはガスシリンダーである場合には、マット３００を展開するシリンダは、他の気筒と同一のガス通路に接続されてもよい。
【００６８】
説明された様々な実施形態は、本発明の例示的な実施形態のみである。したがって、それらは容易に組み合わせることができ、例えばワークトレイ４０２、５００及び折り畳み脚１０２、１０３、１０４を自動的に展開するために、様々なシステムを組み合わせる。
【００６９】
さらに、本発明は、記載の手段の正確な実施形態に厳密に限定されるものではなく、即ち、記載された手段と同じ機能を満たす精神と同等の手段に適合するすべての変形に及ぶ。
【００７０】
最後に、上述の全ての実施形態の変形例によれば、ワークトレイ４０２及び５００は、例えば前記ワークトレイ４０２及び５００と、ピボット接続と、関節結合した、カバーを含む。
【００７１】
事実は、前記ワークトレイ４０２と５００は、構造物の貯蔵や輸送中に堆積することができる様々な土壌に対してそれらを保護するカバー含めるということである。また、カバーはまた、物質を格納することが可能であるキャビティを形成する厚さで設計されている材料を格納するために、又は添付ファイル付きの介入時に迅速に利用できるようにするかどうかを確認する機器を取り付けるための取り付け手段と共に使用することができる。このように格納されている機器は、蓋が閉じられたときに汚れから保護される、カバー内において、あるいは、構造が、貯蔵や輸送の位置のままであるならば、カバー外において、いずれかにおいても貯蔵することができる。これら２つのカバー変形は、明らかに組み合わせることができる。
【図１】
2017508569.tif 000003
【図２ａ】
2017508569.tif 000004
【図２ｂ】
2017508569.tif 000005
【図２ｃ】
2017508569.tif 000006
【図３ａ】
2017508569.tif 000007
【図３ｂ】
2017508569.tif 000008
【図３ｃ】
2017508569.tif 000009
【図４】
2017508569.tif 000010
【図５】
2017508569.tif 000011
【図６】
2017508569.tif 000012
【図７】
2017508569.tif 000013
【図８】
2017508569.tif 000014
【国際調査報告】
2017508569.tif 000015
2017508569.tif 000016
2017508569.tif 000017
2017508569.tif 000018
2017508569.tif 000019
2017508569.tif 000020